(57)【要約】【課題】  壁を傷付けることなく、壁面に良好に衛生陶器を取り付けすることができる型紙および型紙を用いた衛生陶器の施工方法を提供する。【解決手段】  壁面Ｗに取り付けられる手洗器１を位置決めするために、壁面Ｗに配置される施工用の型紙６は、その一部が手洗器１の周縁より外側へはみ出す形状に形成され、手洗器１を壁面Ｗにバックハンガー２，２を介し取り付けた後に、型紙６を引き抜き除去して手洗器１が取付施工される。【選択図】  図３
2007089614.tif 000002
【特許請求の範囲】
【請求項１】
壁面に固定した取付金具によって衛生陶器を壁面に取り付ける衛生陶器の施工方法であって、
前記衛生陶器が取り付けられた状態で前記衛生陶器の周縁より外側にはみ出す形状に形成された前記取付金具の壁面固定位置を示す型紙を、壁面に配置し、
該型紙によって決定される壁面固定位置に前記取付金具を固定し、
前記型紙を壁面に配置した状態で前記衛生陶器を前記取付金具に掛止して壁面に取り付け、
前記衛生陶器を取り付けた後に壁面に配置した前記型紙を取り除く、
ことを特徴とする型紙を用いた衛生陶器の施工方法。
【請求項２】
キャビネットを設置し、該キャビネット上方の壁面に固定した取付金具によって衛生陶器を壁面に取り付ける衛生陶器の施工方法であって、
前記キャビネットを設置した後、前記衛生陶器が取り付けられた状態で該衛生陶器の周縁より外側にはみ出す形状に形成された前記取付金具の壁面固定位置を示す型紙を壁面に配置し、
該型紙によって決定される壁面固定位置に前記取付金具を固定し、
前記型紙を壁面に配置した状態で前記衛生陶器を前記取付金具に掛止して壁面に取り付け、
前記衛生陶器を取り付けた後に壁面に配置した前記型紙を取り除く、
ことを特徴とする型紙を用いた衛生陶器の施工方法。
【請求項３】
前記取付金具は、壁面に当接させて固定する固定片と該固定片から上方に延出した掛止片とからなり、前記衛生陶器は前記掛止片により壁面に押し付けられるものであって、
該衛生陶器を壁面に押し付けながら上方から差し込むように取付金具に掛止して壁面に取り付けることを特徴とする請求項１または請求項２に記載の型紙を用いた衛生陶器の施工方法。
【請求項４】
壁面に取り付けられる衛生陶器を引掛ける取付金具の取付位置を示す型紙において、
該型紙は、前記衛生陶器が取り付けられた状態で該衛生陶器の周縁より外側にはみ出す形状に形成されて、
前記衛生陶器を取付金具に掛止する方向に対して少なくともその掛止するストローク分がはみ出していることを特徴とする型紙。
【請求項５】
前記型紙は、前記衛生陶器が取り付けられた状態で、前記衛生陶器を取付金具に掛止する方向に対して左右方向にもはみ出していることを特徴とする請求項４に記載の型紙。
【発明の詳細な説明】
【技術分野】
【０００１】
本発明は、衛生陶器を壁面に取付施工する際に用いる型紙および型紙を用いた衛生陶器の施工方法に関するものである。
【背景技術】
【０００２】
従来、特許文献１に開示されているように、予め壁面にバックハンガー（固定金具）を所定位置に固定しておき、このバックハンガーと壁面間の隙間内に上方より衛生陶器を差し込んで、衛生陶器を壁面に固定させる取付方法が存在する。
【特許文献１】特開２００３−２６５３３８号公報
【発明の開示】
【発明が解決しようとする課題】
【０００３】
普通に洗面器をバックハンガーに引掛けるだけでも、取り付けで壁を傷つける恐れがあり、特に特許文献のものは、隙間に差し込むため、壁に当接させて取り付けざるを得ず、特に陶器の背面（壁面に当たる部分）は、釉薬もかかってなくザラザラしており、壁に傷が付き易いという問題点があった。
【課題を解決するための手段】
【０００４】
本発明は上記従来の問題点に鑑み案出したものであって、衛生陶器の施工時に壁面を良好に保護して、壁面の傷付きを防ぐことのできる型紙および型紙を用いた衛生陶器の施工方法を提供するものであり、その請求項１の衛生陶器の施工方法は、壁面に固定した取付金具によって衛生陶器を壁面に取り付ける衛生陶器の施工方法であって、前記衛生陶器が取り付けられた状態で前記衛生陶器の周縁より外側にはみ出す形状に形成された前記取付金具の壁面固定位置を示す型紙を、壁面に配置し、該型紙によって決定される壁面固定位置に前記取付金具を固定し、前記型紙を壁面に配置した状態で前記衛生陶器を前記取付金具に掛止して壁面に取り付け、前記衛生陶器を取り付けた後に壁面に配置した前記型紙を取り除くことである。
【０００５】
また請求項２の衛生陶器の施工方法は、キャビネットを設置し、該キャビネット上方の壁面に固定した取付金具によって衛生陶器を壁面に取り付ける衛生陶器の施工方法であって、前記キャビネットを設置した後、前記衛生陶器が取り付けられた状態で該衛生陶器の周縁より外側にはみ出す形状に形成された前記取付金具の壁面固定位置を示す型紙を壁面に配置し、該型紙によって決定される壁面固定位置に前記取付金具を固定し、前記型紙を壁面に配置した状態で前記衛生陶器を前記取付金具に掛止して壁面に取り付け、前記衛生陶器を取り付けた後に壁面に配置した前記型紙を取り除くことである。
【０００６】
また請求項３の衛生陶器の施工方法は、前記取付金具は、壁面に当接させて固定する固定片と該固定片から上方に延出した掛止片とからなり、前記衛生陶器は前記掛止片により壁面に押し付けられるものであって、該衛生陶器を壁面に押し付けながら上方から差し込むように取付金具に掛止して壁面に取り付けることである。
【０００７】
また請求項４は、壁面に取り付けられる衛生陶器を引掛ける取付金具の取付位置を示す型紙において、該型紙は、前記衛生陶器が取り付けられた状態で該衛生陶器の周縁より外側にはみ出す形状に形成されて、前記衛生陶器を取付金具に掛止する方向に対して少なくともその掛止するストローク分がはみ出していることである。
【０００８】
また請求項５は、前記型紙は、前記衛生陶器が取り付けられた状態で、前記衛生陶器を取付金具に掛止する方向に対して左右方向にもはみ出していることである。
【発明の効果】
【０００９】
本発明の衛生陶器の施工方法は、衛生陶器が取り付けられた状態で衛生陶器の周縁より外側にはみ出す形状に形成された取付金具の壁面固定位置を示す型紙を壁面に配置し、型紙によって決定される壁面固定位置に取付金具を固定し、型紙を壁面に配置した状態で衛生陶器を取付金具に掛止して壁面に取り付け、衛生陶器を取り付けた後に壁面に配置した型紙を取り除くことにより、型紙は壁面保護カバーを兼用することができ、しかも、型紙で取付金具の位置決めが容易にでき、洗面器／手洗器等の衛生陶器の取付時に壁面との接触による傷を防止することができるものとなる。
【００１０】
また、別の衛生陶器の施工方法は、キャビネットを設置した後、衛生陶器が取り付けられた状態で衛生陶器の周縁より外側にはみ出す形状に形成された取付金具の壁面固定位置を示す型紙を壁面に配置し、型紙によって決定される壁面固定位置に取付金具を固定し、型紙を壁面に配置した状態で衛生陶器を取付金具に掛止して壁面に取り付け、衛生陶器を取り付けた後に壁面に配置した型紙を取り除くことにより、キャビネット上端を型紙を合せる基準位置としたので、施工位置を合せることができ、キャビネットと衛生陶器との隙間ができないものとなる。また、型紙で取付金具の位置決めが容易にでき、衛生陶器の取付時に壁面との接触による傷を防止することができるものとなる。
【００１１】
また、取付金具は、壁面に当接させて固定する固定片と固定片から上方に延出した掛止片とからなり、衛生陶器は掛止片により壁面に押し付けられるものであって、衛生陶器を壁面に押し付けながら上方から差し込むように取付金具に掛止して壁面に取り付けることにより、衛生陶器を壁面に接触した状態で取り付けることになるが、型紙により良好に接触時の傷を防止することができるものとなる。
【００１２】
また、壁面に取り付けられる衛生陶器を引掛ける取付金具の取付位置を示す型紙は、衛生陶器が取り付けられた状態で衛生陶器の周縁より外側にはみ出す形状に形成されて、衛生陶器を取付金具に掛止する方向に対して少なくともその掛止するストローク分がはみ出していることにより、衛生陶器の壁面への取付時に、型紙は衛生陶器の取付方向のストローク分を確保しているので、取付時に型紙を最低限の壁面保護カバーとして使用することができ、型紙により良好に接触時の傷を防止することができるものとなる。
【００１３】
また、型紙は、衛生陶器が取り付けられた状態で、衛生陶器を取付金具に掛止する方向に対して左右方向にもはみ出していることにより、衛生陶器の壁面への取付時に左右にぶれながら取り付ける時にも、型紙は壁面の保護カバーとして使用でき、良好に接触時の傷を防止することができるものとなる。
【実施例】
【００１４】
以下、本発明の実施例を図面に基づいて説明する。
図１は、キャビネット上に設置される手洗器を、壁面に固定した状態の側面断面構成図であり、図２は、手洗器を壁面に施工する際に用いられる型紙であり、また図３は、型紙を用いた施工状態の裏面から見た配置構成図である。
【００１５】
図において、手洗器１は、壁Ｗに固定されたバックハンガー２の上端の掛止片２ｂに、手洗器１の裏面に形成されている背面掛止孔１ａが差し込まれ、壁Wに沿って下方側へ落とし込まれて、手洗器１の背面が掛止片２ｂで壁Ｗ側へ押し付けられて固定される。この状態で、手洗器１の底面がキャビネット３の上端に当接して、手洗器１の重量がキャビネット３に支持される。
【００１６】
キャビネット３は、前面側に開閉可能な扉３ａを有し、内部に収納空間が形成されたものであり、扉３ａの上端内側に横設された幕板３ｂに固定金具４を固定しておき、この固定金具４に、手洗器１の底面の二重底に形成した孔にＴボルト５の頭を係止させて、Ｔボルト５をナットにより固定金具４に締め付けて、キャビネット３上に手洗器１を固定できるものである。
施工順序としては、所定位置にキャビネット３を設置し、このキャビネット３に対し、図３のようにキャビネット３の上端を基準として壁Ｗに型紙６を立てかけて、型紙６によりバックハンガー２の位置決めを行い、所定位置にバックハンガー２を固定するのである。
【００１７】
型紙６は、図２に示すように、上端縁６ａと平行状に下側に位置決め縁６ｂが形成されており、位置決め縁６ｂの左右両端側から下方側に垂下状に垂下片６ｃ，６ｃが一体形成されており、左右の垂下片６ｃ，６ｃの下端内側には、キャビネット３の上端に当接状に整合されるキャビネット当接段部６ｄ，６ｄが形成されており、左右の垂下片６ｃ，６ｃの内側と位置決め縁６ｂの交差する位置に、位置決めコーナー部６ｅ，６ｅがＬ字状に形成されており、この位置決めコーナー部６ｅ，６ｅに、バックハンガー２の固定片２ａを当接状に整合させて配置し、バックハンガー２の固定片２ａをビスで壁Ｗに固定することができるものである。
【００１８】
図３のように、キャビネット３の上端に型紙６のキャビネット当接段部６ｄ，６ｄを当接させて、キャビネット３の上端を基準として壁Ｗに沿って型紙６を立てかけ、この状態で前述した如く、型紙の位置決めコーナー部６ｅ，６ｅにそれぞれバックハンガー２の固定片２ａを位置決めして、ビスでバックハンガーの固定片２ａを壁Ｗに固定することができ、この固定状態では、バックハンガー２の掛止片２ｂが上方へ突出し、壁Ｗとの間に隙間を形成し、この隙間内に上方より手洗器１を差し込むことができるものである。
バックハンガーの掛止片２ｂは、手洗器１を壁Ｗ側に押し付ける付勢力を発揮して、手洗器１は壁Ｗに押し当てられたまま下降するが、この時に、壁Ｗには型紙６が配置されているため、型紙６に沿って手洗器１は下降し、型紙６により壁Ｗが傷付くことが良好に防がれる。
【００１９】
図３に示すように、手洗器１をバックハンガーの掛止片２ｂに差し込んで取り付けた状態では、手洗器１の上面１ｂよりも上方へ寸法ａだけ型紙６がはみ出すように型紙６は寸法設定されており、また、手洗器の左右側面１ｃ，１ｃの外側へも型紙６の垂下片６ｃが寸法ｂだけはみ出すように設定されており、上方のはみ出し寸法ａは、掛止片２ｂに背面掛止孔１ａが差し込まれる、すなわち、手洗器１をバックハンガーに掛止するストローク分の寸法に対応しており、手洗器１が壁Ｗに沿って下降し取り付けられる際に、壁Ｗは型紙６により良好に保護されて傷が付かないように設定されている。
手洗器１をバックハンガー２に取り付け、更にキャビネット３の上面に固定金具４とボルト５で固定した後に、型紙６の上端縁６ａ側を指でつまみ、上方へ型紙６を引き上げることにより、良好に型紙６を取り外すことができ、これにより壁Ｗに傷をつけることなく美観を呈した手洗器１の取付状態が得られるものである。
【００２０】
なお、型紙６を除去する際に、左右側の垂下片６ｃ，６ｃは、左右側へ引き抜いて除去することもでき、その場合には垂下片６ｃは位置決めコーナー部６ｅで容易に分離させることができるものである。
なお、型紙６は、手洗器１が下降する際に良好に下降でき、また除去する際にも良好に引き抜きができるように、表面摩擦が小さい用紙で構成しておくことができ、また、紙に限らずフィルムやアクリル板で型紙６を形成しておいても良い。
なお、型紙６は、キャビネット３の上端を基準として壁Ｗに沿って立てかける他に、壁Ｗにテープ等で止めて配置しても良く、また、型紙６の上端裏側に設けた粘着シールを剥がして壁Ｗに貼り付けるように構成しても良い。
【００２１】
次に、図４で示す型紙は変形例であり、図４の型紙６は、位置決め縁６ｂの左右両端側に、垂下片６ｃの内側上端に上方へ凹状に位置決めくびれ部６ｆを形成したものであり、この位置決めくびれ部６ｆ内に、バックハンガーの固定片２ａを嵌め込んで位置決めできるように構成されている。なお、左右の垂下片６ｃの下端内側には、キャビネットの上端に整合当接されるキャビネット当接段部６ｄ，６ｄが形成されている。
【００２２】
なお、図４の型紙では、位置決めくびれ部６ｆにバックハンガー２の固定片２ａを嵌め込んで、ビスでバックハンガー２を壁Ｗに固定した後に、型紙６に印刷されている位置合わせ線６ｈ，６ｈに手洗器１の左右両側面１ｃ，１ｃを位置合わせして、この状態で手洗器１を下方側へ移動させてゆき、固定されているバックハンガーの掛止片２ｂと壁Ｗ間に差し込んでゆくことができるものである。その他、施工手順は図３と同じである。
【００２３】
次に、図５は、一般的な洗面器を壁Ｗに取り付けた側面構成図を示すものであり、洗面器１０は、壁Ｗの所定位置にビス１３で固定されたバックハンガー２に取り付けられるものであり、洗面器１０の排水口には下方側へ向かって排水トラップ１１が接続され、また洗面器１０内に湯水を供給する水栓１２が取り付けられるものである。
【００２４】
この洗面器１０を施工するに際し、図６に示すような型紙６を用いて所定位置にバックハンガー２，２を固定できるものである。
先ず洗面器１０の取り付け位置を決めて、型紙６の位置を決める。ここでは、洗面器１０の上面１０ａに型紙６の位置を合わせて、型紙６の上下をテープで壁Ｗに止める。
型紙６は、型紙６の位置決め縁６ｂの左右両端側から垂直に下方側へ垂下片６ｃ，６ｃが形成され、この位置決め縁６ｂと垂下片６ｃの交差部に位置決めコーナー部６ｅが形成されており、この位置決めコーナー部６ｅにバックハンガー２の固定片２ａを配置して、良好に左右のバックハンガー２，２を所定位置に固定できるものであり、バックハンガー２，２を壁Ｗの所定位置に固定した後に、バックハンガーの掛止片２ｃと壁Ｗ間に洗面器１０の背壁を上方側より差し込んで、型紙６上を滑らせながら洗面器１０をバックハンガーの掛止片２ｃに引っ掛けて固定することができる。
【００２５】
図７の洗面器１０の取付固定状態では、型紙６の上端縁６ａよりも寸法ａ分、下方に洗面器１０の上面１０ａが配置されるものであり、寸法ａの分だけ洗面器１０が施工時に良好に壁Ｗに沿って下降することができ、壁Ｗが傷付けられることがなく、良好に洗面器１０が所定位置に取り付けられるものである。取り付け後において、型紙６を上方に引き抜いて除去することができる。
【００２６】
なお、図２，図４，図６に示すような型紙６に、ミシン目やくびれ部分や切り込み等を形成させておけば、ミシン目，くびれ部分，切り込みから良好に分離させることができ、手洗器や洗面器以外の衛生陶器を壁Ｗに施工する際にも、型紙６を用いて固定金具を壁Ｗに固定し、その状態で固定金具に衛生陶器を上方より差し込んで取り付けすることができ、その際に型紙６が存在するために、壁Ｗが傷付けられることがなく良好に施工することができるものであり、衛生陶器が複雑な形状である場合には、型紙６に適宜ミシン目や切り込み等を形成させておけば、上方のみならず左右方向にも分割して、型紙６を良好に引き抜くことができるものとなる。
なお、施工を容易化するために、型紙６に、型紙の壁への配置の仕方や作業手順を印刷しておいても良い。
【００２７】
なお、型紙６を分離することなく上方へ引き抜いて除去するような場合には、除去した後の型紙６を保存しておけば、衛生陶器を壁Ｗから取り外す際にも、型紙６を壁と衛生陶器間に差し込んだ後に、衛生陶器を上方へ持ち上げて固定金具から取り外すことができ、取り外し時も壁の傷付きを防ぐことができるものとなる。
【図面の簡単な説明】
【００２８】
【図１】第１実施例の手洗器の設置状態を示す側面断面構成図である。
【図２】施工に用いられる型紙の正面構成図である。
【図３】型紙を残したまま壁に手洗器を設置した状態の裏面から見た概略構成図である。
【図４】型紙の変形例を示す正面構成図である。
【図５】第２実施例の洗面器の設置状態の側面構成図である。
【図６】図５の洗面器を施工する際に用いられる型紙の正面拡大構成図である。
【図７】型紙を残したまま洗面器を壁に取り付けた状態の正面構成図である。
【符号の説明】
【００２９】
１  手洗器
１ａ  背面掛止孔
１ｂ  上面
２  バックハンガー
２ａ  固定片
２ｂ，２ｃ  掛止片
３  キャビネット
３ａ  扉
３ｂ  幕板
４  固定金具
５  ボルト
６  型紙
６ａ  上端縁
６ｂ  位置決め縁
６ｃ  垂下片
６ｄ  キャビネット当接段部
６ｅ  位置決めコーナー部
６ｆ  位置決めくびれ部
６ｈ  位置合わせ線
１０  洗面器
１３  ビス
Ｗ  壁
【図１】
2007089614.tif 000003
【図２】
2007089614.tif 000004
【図３】
2007089614.tif 000005
【図４】
2007089614.tif 000006
【図５】
2007089614.tif 000007
【図６】
2007089614.tif 000008
【図７】
2007089614.tif 000009